(57)【要約】【課題】複数段の吸収器の負荷を概ね平準化する吸収ヒートポンプを提供する。【解決手段】吸収ヒートポンプ１は、第１の吸収液Ｓｗ２が第１の冷媒蒸気Ｖｅ１を吸収する際に生じる吸収熱を被加熱媒体Ｗに奪わせる第１の吸収器１１０と、第２の吸収液Ｓａが第２の冷媒蒸気Ｖｅ２を吸収する際に生じる吸収熱を被加熱媒体Ｗに奪わせる第２の吸収器２１０と、第１の希溶液Ｓｗ１から離脱された冷媒蒸気Ｖｇ、及び第２の希溶液Ｓｗ２から離脱された冷媒蒸気Ｖｇの少なくとも一方を導入し、導入した冷媒蒸気Ｖｇが保有する熱を被加熱媒体Ｗに奪わせて導入した冷媒蒸気Ｖｇを凝縮させる凝縮器４０とを備え、被加熱媒体Ｗが第１の吸収器１１０及び第２の吸収器２１０に分配され、第１の吸収器１１０から導出された被加熱媒体Ｗ及び第２の吸収器２１０から導出された被加熱媒体Ｗが凝縮器４０に供給される。【選択図】図１
2014190680.tif 000002
【特許請求の範囲】
【請求項１】
第１の吸収液に第１の冷媒蒸気を吸収させ、前記第１の吸収液が前記第１の冷媒蒸気を吸収する際に生じる吸収熱を被加熱媒体に奪わせる第１の吸収器と；
第２の吸収液に第２の冷媒蒸気を吸収させ、前記第２の吸収液が前記第２の冷媒蒸気を吸収する際に生じる吸収熱を被加熱媒体に奪わせる第２の吸収器であって、前記第１の吸収器よりも作動圧力が低い第２の吸収器と；
前記第１の吸収器で前記第１の吸収液が前記第１の冷媒蒸気を吸収して生じた第１の希溶液から離脱された冷媒蒸気、及び前記第２の吸収器で前記第２の吸収液が前記第２の冷媒蒸気を吸収して生じた第２の希溶液から離脱された冷媒蒸気の少なくとも一方を導入し、導入した前記冷媒蒸気が保有する熱を被加熱媒体に奪わせて導入した前記冷媒蒸気を凝縮させる凝縮器とを備え；
前記被加熱媒体が前記第１の吸収器及び前記第２の吸収器に分配され、前記第１の吸収器から導出された前記被加熱媒体及び前記第２の吸収器から導出された前記被加熱媒体が前記凝縮器に供給されるように構成された；
吸収ヒートポンプ。
【請求項２】
前記凝縮器が、
前記第１の希溶液から離脱された冷媒蒸気を導入し、導入した前記冷媒蒸気が保有する熱を被加熱媒体に奪わせて導入した前記冷媒蒸気を凝縮させる第１の凝縮器と、
前記第２の希溶液から離脱された冷媒蒸気を導入し、導入した前記冷媒蒸気が保有する熱を被加熱媒体に奪わせて導入した前記冷媒蒸気を凝縮させる第２の凝縮器と、を含んで構成され；
前記第１の吸収器から導出された前記被加熱媒体が前記第１の凝縮器に供給され；
前記第２の吸収器から導出された前記被加熱媒体が前記第２の凝縮器に供給されるように構成された；
請求項１に記載の吸収ヒートポンプ。
【請求項３】
被冷却媒体の熱で冷媒液を蒸発させて前記第１の冷媒蒸気を生成する第１の蒸発器であって、前記冷媒液及び前記第１の冷媒蒸気を収容する第１の蒸発器缶胴と、前記第１の蒸発器缶胴内の液滴の前記第１の吸収器への飛散を防ぐ第１のエリミネータと、前記被冷却媒体の流路を形成する第１の被冷却媒体流路形成部材と、を有する第１の蒸発器と；
被冷却媒体の熱で冷媒液を蒸発させて前記第２の冷媒蒸気を生成する第２の蒸発器であって、前記冷媒液及び前記第２の冷媒蒸気を収容する第２の蒸発器缶胴と、前記第２の蒸発器缶胴内の液滴の前記第２の吸収器への飛散を防ぐ第２のエリミネータと、前記被冷却媒体の流路を形成する第２の被冷却媒体流路形成部材と、を有する第２の蒸発器とを備え；
前記被冷却媒体が、前記第１の蒸発器に供給され、前記第１の蒸発器から導出された前記被冷却媒体が前記第２の蒸発器に供給されるように構成され；
前記第１の吸収器が、前記被加熱媒体の流路を形成する第１の被加熱媒体流路形成部材及び前記第１の希溶液を収容する第１の吸収器缶胴を有し；
前記第２の吸収器が、前記被加熱媒体の流路を形成する第２の被加熱媒体流路形成部材及び前記第２の希溶液を収容する第２の吸収器缶胴を有し；
前記第１の蒸発器缶胴及び前記第２の蒸発器缶胴が、前記第１の吸収器缶胴及び前記第２の吸収器缶胴よりも上方に配置された；
請求項１又は請求項２に記載の吸収ヒートポンプ。
【発明の詳細な説明】
【技術分野】
【０００１】
本発明は吸収ヒートポンプに関し、特に複数段の吸収器の負荷を概ね平準化する吸収ヒートポンプに関する。
【背景技術】
【０００２】
低温の熱源から熱を汲み上げて被加熱媒体を加熱する機器であるヒートポンプのうち、熱駆動のものとして、吸収ヒートポンプが知られている。吸収ヒートポンプには、熱源として投入した熱量より多くの熱量を得る増熱型のヒートポンプである第一種吸収ヒートポンプと、駆動熱源温度より高い温度の被加熱媒体を取り出す昇温型のヒートポンプである第二種吸収ヒートポンプとがある。第一種吸収ヒートポンプは、冷媒液を蒸発させる蒸発器、冷媒蒸気を溶液で吸収させる吸収器、溶液から冷媒を離脱させる再生器、冷媒蒸気を凝縮させる凝縮器を主要構成として備え、凝縮圧力が蒸発圧力よりも高くなるように構成されている。また、蒸発器及び吸収器を、圧力の高い高段側と、圧力の低い低段側との多段に構成した多段吸収ヒートポンプがある。
【０００３】
図４に示すように、従来の多段吸収ヒートポンプ９１では、被加熱媒体Ｗを、まず高段側の吸収器１１０に供給して加熱し、次いで低段側の吸収器２１０に供給して加熱し、その後凝縮器４０に供給して加熱し、凝縮器４０で加熱した被加熱媒体Ｗを外部へ供給していた。換言すれば、高段側の吸収器１１０及び低段側の吸収器２１０に対して被加熱媒体Ｗを直列に供給していた。なお、従来の多段吸収ヒートポンプ９１では、高段側の吸収器１１０と高段側の蒸発器１２０とが水平方向に近接して配置され、これらの鉛直上方に低段側の吸収器２１０と低段側の蒸発器２２０とが水平方向に近接して配置され、これらの鉛直上方に凝縮器４０と再生器３０とが配置され、熱源となる温水ｈが高段側の蒸発器１２０及び低段側の蒸発器２２０に対して直列に供給されている。
【発明の概要】
【発明が解決しようとする課題】
【０００４】
従来の多段吸収ヒートポンプは、低段側の吸収器に供給される被加熱媒体の入口温度が高段側の吸収器に供給される被加熱媒体の入口温度よりも高くなるため、高段側の吸収器に低段側の吸収器よりも大きな負荷がかかり、高段側の吸収器の負荷と低段側の吸収器の負荷との間に不均衡が生じていた。
【０００５】
本発明は上述の課題に鑑み、複数段の吸収器の負荷を概ね平準化する吸収ヒートポンプを提供することを目的とする。
【課題を解決するための手段】
【０００６】
上記目的を達成するために、本発明の第１の態様に係る吸収ヒートポンプは、例えば図１に示すように、第１の吸収液Ｓｗ２に第１の冷媒蒸気Ｖｅ１を吸収させ、第１の吸収液Ｓｗ２が第１の冷媒蒸気Ｖｅ１を吸収する際に生じる吸収熱を被加熱媒体Ｗに奪わせる第１の吸収器１１０と；第２の吸収液Ｓａに第２の冷媒蒸気Ｖｅ２を吸収させ、第２の吸収液Ｓａが第２の冷媒蒸気Ｖｅ２を吸収する際に生じる吸収熱を被加熱媒体Ｗに奪わせる第２の吸収器２１０であって、第１の吸収器１１０よりも作動圧力が低い第２の吸収器２１０と；第１の吸収器１１０で第１の吸収液Ｓｗ２が第１の冷媒蒸気Ｖｅ１を吸収して生じた第１の希溶液Ｓｗ１から離脱された冷媒蒸気Ｖｇ、及び第２の吸収器２１０で第２の吸収液Ｓａ２が第２の冷媒蒸気Ｖｅ２を吸収して生じた第２の希溶液Ｓｗ２から離脱された冷媒蒸気Ｖｇの少なくとも一方を導入し、導入した冷媒蒸気Ｖｇが保有する熱を被加熱媒体Ｗに奪わせて導入した冷媒蒸気Ｖｇを凝縮させる凝縮器４０とを備え；被加熱媒体Ｗが第１の吸収器１１０及び第２の吸収器２１０に分配され、第１の吸収器１１０から導出された被加熱媒体Ｗ及び第２の吸収器２１０から導出された被加熱媒体Ｗが凝縮器４０に供給されるように構成されている。
【０００７】
このように構成すると、第１の吸収器に導入される被加熱媒体と第２の吸収器に導入される被加熱媒体との入口温度が同じになるため、第１の吸収器の負荷と第２の吸収器の負荷とを概ね平準化することができる。
【０００８】
また、本発明の第２の態様に係る吸収ヒートポンプは、例えば図３に示すように、上記本発明の第１の態様に係る吸収ヒートポンプにおいて、凝縮器が、第１の希溶液Ｓｗ１から離脱された冷媒蒸気Ｖｇ１を導入し、導入した冷媒蒸気Ｖｇ１が保有する熱を被加熱媒体Ｗに奪わせて導入した冷媒蒸気Ｖｇ１を凝縮させる第１の凝縮器１４０と、第２の希溶液Ｓｗ２から離脱された冷媒蒸気Ｖｇ２を導入し、導入した冷媒蒸気Ｖｇ２が保有する熱を被加熱媒体Ｗに奪わせて導入した冷媒蒸気Ｖｇ２を凝縮させる第２の凝縮器２４０と、を含んで構成され；第１の吸収器１１０から導出された被加熱媒体Ｗが第１の凝縮器１４０に供給され；第２の吸収器２１０から導出された被加熱媒体Ｗが第２の凝縮器２４０に供給されるように構成されている。
【０００９】
このように構成すると、第１の吸収器の圧力と第２の吸収器の圧力との差を適切に維持することができる。
【００１０】
また、本発明の第３の態様に係る吸収ヒートポンプは、例えば図１に示すように、上記本発明の第１の態様又は第２の態様に係る吸収ヒートポンプ１において、被冷却媒体ｃの熱で冷媒液Ｖｆを蒸発させて第１の冷媒蒸気Ｖｅ１を生成する第１の蒸発器１２０であって、冷媒液Ｖｆ及び第１の冷媒蒸気Ｖｅ１を収容する第１の蒸発器缶胴１２７と、第１の蒸発器缶胴１２７内の液滴の第１の吸収器１１０への飛散を防ぐ第１のエリミネータ１２５と、被冷却媒体ｃの流路を形成する第１の被冷却媒体流路形成部材１２１と、を有する第１の蒸発器１２０と；被冷却媒体ｃの熱で冷媒液Ｖｆを蒸発させて第２の冷媒蒸気Ｖｅ２を生成する第２の蒸発器２２０であって、冷媒液Ｖｆ及び第２の冷媒蒸気Ｖｅ２を収容する第２の蒸発器缶胴２２７と、第２の蒸発器缶胴２２７内の液滴の第２の吸収器２１０への飛散を防ぐ第２のエリミネータ２２５と、被冷却媒体ｃの流路を形成する第２の被冷却媒体流路形成部材２２１と、を有する第２の蒸発器２２０とを備え；被冷却媒体ｃが、第１の蒸発器１２０に供給され、第１の蒸発器１２０から導出された被冷却媒体ｃが第２の蒸発器２２０に供給されるように構成され；第１の吸収器１１０が、被加熱媒体Ｗの流路を形成する第１の被加熱媒体流路形成部材１１１及び第１の希溶液Ｓｗ１を収容する第１の吸収器缶胴１１７を有し；第２の吸収器２１０が、被加熱媒体Ｗの流路を形成する第２の被加熱媒体流路形成部材２１１及び第２の希溶液Ｓｗ２を収容する第２の吸収器缶胴２１７を有し；第１の蒸発器缶胴１２７及び第２の蒸発器缶胴２２７が、第１の吸収器缶胴１１７及び第２の吸収器缶胴２１７よりも上方に配置されている。
【００１１】
このように構成すると、第１の吸収器缶胴内の液滴及び第２の吸収器缶胴内の液滴が蒸発器に飛散するのを防ぐエリミネータを省略することができる。
【発明の効果】
【００１２】
本発明によれば、第１の吸収器に導入される被加熱媒体と第２の吸収器に導入される被加熱媒体との入口温度が同じになるため、第１の吸収器の負荷と第２の吸収器の負荷とを概ね平準化することができる。
【図面の簡単な説明】
【００１３】
【図１】（Ａ）は本発明の実施の形態に係る吸収ヒートポンプの概略構成図、（Ｂ）は高圧吸収器及び高圧蒸発器の部分詳細図である。
【図２】本発明の実施の形態に係る吸収ヒートポンプのデューリング線図である。
【図３】本発明の実施の形態の変形例に係る吸収ヒートポンプの概略構成図である。
【図４】従来の吸収ヒートポンプの概略構成図である。
【発明を実施するための形態】
【００１４】
以下、図面を参照して本発明の実施の形態について説明する。なお、各図において互いに同一又は相当する部材には同一あるいは類似の符号を付し、重複した説明は省略する。
【００１５】
まず図１を参照して、本発明の実施の形態に係る吸収ヒートポンプ１を説明する。図１（Ａ）は吸収ヒートポンプ１の概略構成図、図１（Ｂ）は高圧吸収器１１０及び高圧蒸発器１２０の部分詳細図である。吸収ヒートポンプ１は、増熱型の第一種吸収ヒートポンプである。また、吸収ヒートポンプ１は、吸収器及び蒸発器が、それぞれ高段側と低段側との２段を有する２段吸収ヒートポンプである。吸収ヒートポンプ１は、吸収ヒートポンプサイクルを行う主要構成機器として、第１の吸収器としての高圧吸収器１１０、第２の吸収器としての低圧吸収器２１０、第１の蒸発器としての高圧蒸発器１２０、第２の蒸発器としての低圧蒸発器２２０、再生器３０、及び凝縮器４０とを備えている。
【００１６】
吸収ヒートポンプ１は、吸収液に対して冷媒が相変化をしながら循環することで熱移動を行わせ、被加熱媒体を昇温させる機器である。以下の説明において、吸収液に関し、ヒートポンプサイクル上における区別を容易にするために、性状やヒートポンプサイクル上の位置に応じて、「高圧希溶液Ｓｗ１」、「低圧希溶液Ｓｗ２」、「濃溶液Ｓａ」等と呼称するが、性状等を不問にするときは総称して「溶液Ｓ」ということとする。また、冷媒に関し、ヒートポンプサイクル上における区別を容易にするために、性状やヒートポンプサイクル上の位置に応じて、「高圧冷媒蒸気Ｖｅ１」、「低圧冷媒蒸気Ｖｅ２」、「再生器冷媒蒸気Ｖｇ」、「冷媒液Ｖｆ」等と呼称するが、性状等を不問にするときは総称して「冷媒Ｖ」ということとする。本実施の形態では、溶液Ｓ（吸収剤と冷媒との混合物）としてＬｉＢｒ水溶液が用いられており、冷媒Ｖとして水（Ｈ２Ｏ）が用いられており、被加熱媒体Ｗとして水（Ｈ２Ｏ）が用いられているが、被加熱媒体Ｗとして水（Ｈ２Ｏ）以外の流体を使用することもできる。
【００１７】
高圧吸収器１１０は、被加熱媒体Ｗの流路を形成する第１の被加熱媒体流路形成部材としての高圧加熱管１１１と、溶液Ｓを散布する高圧溶液散布ノズル１１２とを、第１の吸収器缶胴としての高圧吸収器缶胴１１７の内部に有している。高圧溶液散布ノズル１１２は、散布した溶液Ｓが高圧加熱管１１１に降りかかるように高圧加熱管１１１の上方に配設されている。高圧吸収器１１０は、高圧溶液散布ノズル１１２から溶液Ｓが散布され、溶液Ｓが高圧冷媒蒸気Ｖｅ１を吸収する際に吸収熱を発生させる。この吸収熱を、高圧加熱管１１１を流れる被加熱媒体Ｗが受熱して、被加熱媒体Ｗが加熱されるように構成されている。高圧吸収器缶胴１１７は、散布された溶液Ｓが高圧冷媒蒸気Ｖｅ１を吸収して濃度が低下した高圧希溶液Ｓｗ１（第１の希溶液に相当）が下部に貯留されるように構成されている。
【００１８】
低圧吸収器２１０は、外見上の構成が、高圧吸収器１１０と同様になっている。低圧吸収器２１０は、高圧吸収器１１０における高圧加熱管１１１、高圧溶液散布ノズル１１２、高圧吸収器缶胴１１７に対応する構成として、第２の被加熱媒体流路形成部材としての低圧加熱管２１１、低圧溶液散布ノズル２１２、第２の吸収器缶胴としての低圧吸収器缶胴２１７をそれぞれ有している。低圧吸収器２１０は、低圧溶液散布ノズル２１２から散布された溶液Ｓが、低圧冷媒蒸気Ｖｅ２を吸収する際に吸収熱を発生させ、溶液Ｓが低圧冷媒蒸気Ｖｅ２を吸収して濃度が低下した低圧希溶液Ｓｗ２（第２の希溶液に相当）が低圧吸収器缶胴２１７の下部に貯留されるように構成されている。低圧吸収器２１０は、高圧吸収器１１０に対して、水平方向に近接して配設されている。
【００１９】
高圧蒸発器１２０は、冷媒液Ｖｆを加熱する被冷却媒体としての冷水ｃの流路を形成する第１の被冷却媒体流路形成部材としての高圧冷水管１２１と、冷媒液Ｖｆを散布する高圧冷媒液散布ノズル１２２とを、第１の蒸発器缶胴としての高圧蒸発器缶胴１２７の内部に有している。高圧冷媒液散布ノズル１２２は、散布した冷媒液Ｖｆが高圧冷水管１２１に降りかかるように、高圧冷水管１２１の上方に配設されている。高圧蒸発器１２０は、高圧冷媒液散布ノズル１２２から冷媒液Ｖｆが散布され、散布された冷媒液Ｖｆが高圧冷水管１２１内を流れる冷水ｃから熱を奪って蒸発して高圧冷媒蒸気Ｖｅ１が発生するように構成されている。高圧冷媒蒸気Ｖｅ１は、高圧蒸発器１２０で生成される冷媒の蒸気であり、第１の冷媒蒸気に相当する。高圧蒸発器１２０は、散布された冷媒液Ｖｆのうち蒸発しなかった冷媒液Ｖｆが下部に貯留されるように構成されている。
【００２０】
低圧蒸発器２２０は、外見上の構成が、高圧蒸発器１２０と同様になっている。低圧蒸発器２２０は、高圧蒸発器１２０における高圧冷水管１２１、高圧冷媒液散布ノズル１２２、高圧蒸発器缶胴１２７に対応する構成として、第２の被冷却媒体流路形成部材としての低圧冷水管２２１、低圧冷媒液散布ノズル２２２、第２の蒸発器缶胴としての低圧蒸発器缶胴２２７をそれぞれ有している。低圧蒸発器２２０は、低圧冷媒液散布ノズル２２２から散布された冷媒液Ｖが、低圧冷水管２２１内を流れる冷水ｃから熱を奪って蒸発して低圧冷媒蒸気Ｖｅ２が発生し、散布された冷媒液Ｖｆのうち蒸発しなかった冷媒液Ｖｆが低圧蒸発器缶胴２２７の下部に貯留されるように構成されている。低圧冷媒蒸気Ｖｅ２は、低圧蒸発器２２０で生成される冷媒の蒸気であり、第２の冷媒蒸気に相当する。低圧蒸発器２２０は、高圧蒸発器１２０に対して、水平方向に近接して配設されている。
【００２１】
高圧蒸発器１２０及び低圧蒸発器２２０は、高圧吸収器１１０及び低圧吸収器２１０の鉛直上方に配設されており、詳細には、高圧蒸発器１２０が高圧吸収器１１０の鉛直上方に配設され、低圧蒸発器２２０が低圧吸収器２１０の鉛直上方に配設されている。高圧蒸発器缶胴１２７の上部と高圧吸収器缶胴１１７の上部とは、高圧冷媒蒸気流路１２６を介して連通している。図１（Ａ）では、理解の容易のために高圧吸収器缶胴１１７及び高圧蒸発器缶胴１２７を別体に示した都合上、高圧冷媒蒸気流路１２６が配管のように示されているが、実際は、図１（Ｂ）の部分詳細図に示すように、高圧吸収器缶胴１１７の内部の高圧溶液散布ノズル１１２の上方に高圧蒸発器缶胴１２７が設けられ、高圧吸収器缶胴１１７の内部に区画された高圧蒸発器缶胴１２７の上部が開口されることで、高圧冷媒蒸気流路１２６が形成されている。高圧蒸発器１２０は、高圧冷媒蒸気流路１２６に、高圧蒸発器缶胴１２７内の液滴が高圧吸収器缶胴１１７に飛散するのを抑制する第１のエリミネータとしての高圧エリミネータ１２５を有している。他方、低圧蒸発器缶胴２２７の上部と低圧吸収器缶胴２１７の上部とは、低圧冷媒蒸気流路２２６を介して連通している。なお、詳細図は省略するが、低圧吸収器２１０及び低圧蒸発器２２０も、高圧吸収器１１０及び高圧蒸発器１２０（図１（Ｂ）参照）と同様に、低圧吸収器缶胴２１７の内部の低圧溶液散布ノズル２１２の上方に低圧蒸発器缶胴２２７が設けられ、低圧吸収器缶胴２１７の内部に区画された低圧蒸発器缶胴２２７の上部が開口されて低圧冷媒蒸気流路２２６が形成され、低圧蒸発器２２０は、低圧冷媒蒸気流路２２６に、低圧蒸発器缶胴２２７内の液滴が低圧吸収器缶胴２１７に飛散するのを抑制する第２のエリミネータとしての低圧エリミネータ２２５を有している。なお、高圧蒸発器１２０及び低圧蒸発器２２０が、高圧吸収器１１０及び低圧吸収器２１０の鉛直上方に配設されていることで、高圧吸収器缶胴１１７内の液滴の高圧蒸発器缶胴１２７への飛散、及び低圧吸収器缶胴２１７内の液滴の低圧蒸発器缶胴２２７への飛散を回避することができる。したがって、高圧吸収器１１０及び低圧吸収器２１０には、それぞれ、エリミネータを設けなくて済む。
【００２２】
再生器３０は、低濃度の溶液Ｓを導入し、加熱することで、溶液Ｓ中の冷媒Ｖを離脱させ、高濃度の溶液Ｓ（以下「濃溶液Ｓａ」という。）を生成する部位である。再生器３０において、溶液Ｓから離脱した冷媒Ｖは蒸気の状態であり、この冷媒Ｖの蒸気を再生器冷媒蒸気Ｖｇということとする。再生器３０は、溶液Ｓを加熱する加熱部３１と、導入した溶液Ｓを貯留する再生器缶胴３７とを有している。加熱部３１は、再生器缶胴３７の内部に配設されている。加熱部３１は、典型的には、バーナーの燃焼熱あるいは外部から導入した蒸気や温水等の熱で、溶液Ｓを加熱することができるように構成されている。再生器３０として、貫流式再生器や煙管型再生器、液管型再生器等を用いることができる。
【００２３】
凝縮器４０は、被加熱媒体Ｗの流路を形成する部材である凝縮器加熱管４１と、凝縮器缶胴４７とを有している。凝縮器加熱管４１は、凝縮器缶胴４７の内部に配設されている。凝縮器缶胴４７は、再生器缶胴３７に隣接して配設されている。再生器缶胴３７の上部と凝縮器缶胴４７の上部とは、再生器冷媒蒸気流路３５を介して連通している。凝縮器４０は、再生器冷媒蒸気流路３５を介して再生器３０から再生器冷媒蒸気Ｖｇを導入し、凝縮器加熱管４１を流れる被加熱媒体Ｗに再生器冷媒蒸気Ｖｇの熱を奪わせて、再生器冷媒蒸気Ｖｇを凝縮させて冷媒液Ｖｆにすると共に、被加熱媒体Ｗの温度を上昇させるように構成されている。凝縮器缶胴４７及び再生器缶胴３７は、高圧蒸発器缶胴１２７及び低圧吸収器缶胴２１７の鉛直上方に配設されている。
【００２４】
高圧吸収器缶胴１１７の底部又は下部と、再生器缶胴３７とは、高圧希溶液管５１で接続されている。高圧希溶液管５１には、高圧希溶液ポンプ５１ｐが配設されている。吸収ヒートポンプ１は、高圧希溶液ポンプ５１ｐにより、高圧吸収器缶胴１１７内の高圧希溶液Ｓｗ１を再生器缶胴３７内に搬送することができるように構成されている。再生器缶胴３７内では、導入された高圧希溶液Ｓｗ１が、入口から出口に移動するに連れて希溶液Ｓｗ中から冷媒Ｖが離脱して濃度が上昇するようになっている。
【００２５】
低圧吸収器缶胴２１７の底部又は下部と、高圧溶液散布ノズル１１２とは、低圧希溶液管５２で接続されている。低圧希溶液管５２には、低圧希溶液ポンプ５２ｐが配設されている。吸収ヒートポンプ１は、低圧希溶液ポンプ５２ｐにより、低圧吸収器缶胴２１７内の低圧希溶液Ｓｗ２を高圧溶液散布ノズル１１２に搬送することができるように構成されている。この構成により、高圧溶液散布ノズル１１２から低圧希溶液Ｓｗ２が散布されることとなるため、吸収ヒートポンプ１では低圧希溶液Ｓｗ２が第１の吸収液に相当する。
【００２６】
再生器缶胴３７の濃溶液Ｓａが導出される部分と、低圧溶液散布ノズル２１２とは、濃溶液管５３で接続されている。吸収ヒートポンプ１は、高圧希溶液ポンプ５１ｐによって高圧希溶液Ｓｗ１が再生器缶胴３７に搬送され、再生器缶胴３７内で冷媒Ｖが離脱して生成された濃溶液Ｓａが、濃溶液管５３を介して低圧溶液散布ノズル２１２に導入されるように構成されている。この構成により、低圧溶液散布ノズル２１２から濃溶液Ｓａが散布されることとなるため、吸収ヒートポンプ１では濃溶液Ｓａが第２の吸収液に相当する。なお、吸収ヒートポンプ１では、濃溶液Ｓａが低圧冷媒蒸気Ｖｅ２を吸収して低圧希溶液Ｓｗ２が生じ、低圧希溶液Ｓｗ２が高圧冷媒蒸気Ｖｅ１を吸収して高圧希溶液Ｓｗ１が生じるため、高圧希溶液Ｓｗ１には低圧希溶液Ｓｗ２が含まれていると見ることができ、再生器３０で高圧希溶液Ｓｗ１から離脱した冷媒蒸気は、低圧希溶液Ｓｗ２から離脱した冷媒蒸気が含まれていると見ることができる。高圧希溶液管５１及び濃溶液管５３には、高圧希溶液管５１を流れる高圧希溶液Ｓｗ１と濃溶液管５３を流れる濃溶液Ｓａとの間で熱交換を行わせる溶液熱交換器８１が挿入されて配置されている。
【００２７】
凝縮器缶胴４７の底部又は下部と高圧蒸発器缶胴１２７とは、凝縮冷媒液管５４で接続されており、凝縮器缶胴４７内の冷媒液Ｖｆを位置ヘッド及び両者の内圧の差で高圧蒸発器缶胴１２７内に導くことができるように構成されている。高圧蒸発器缶胴１２７の下部と低圧蒸発器缶胴２２７の下部とは、連通冷媒液管５５で接続されており、高圧蒸発器缶胴１２７内の冷媒液Ｖｆを低圧蒸発器缶胴２２７内に導くことができるように構成されている。
【００２８】
低圧蒸発器缶胴２２７の底部又は下部には、被蒸発冷媒液管５６の一端が接続されている。被蒸発冷媒液管５６には、冷媒液ポンプ５６ｐが配設されている。被蒸発冷媒液管５６の他端は、分岐しており、高圧冷媒液管５８の一端及び低圧冷媒液管５９の一端がそれぞれ接続されている。高圧冷媒液管５８の他端は、高圧冷媒液散布ノズル１２２に接続されている。低圧冷媒液管５９の他端は、低圧冷媒液散布ノズル２２２に接続されている。吸収ヒートポンプ１は、冷媒液ポンプ５６ｐにより、低圧蒸発器缶胴２２７内の冷媒液Ｖｆを高圧冷媒液散布ノズル１２２及び低圧冷媒液散布ノズル２２２に搬送することができるように構成されている。
【００２９】
吸収ヒートポンプ１は、被加熱媒体Ｗを外部から導入する被加熱媒体導入管６１と、被加熱媒体連絡管６２と、被加熱媒体Ｗを外部に導出する被加熱媒体導出管６３とを備えている。被加熱媒体導入管６１は、高圧被加熱媒体導入管６１Ａと低圧被加熱媒体導入管６１Ｂに分岐している。高圧被加熱媒体導入管６１Ａは、高圧加熱管１１１の一端に接続されている。低圧被加熱媒体導入管６１Ｂは、低圧加熱管２１１の一端に接続されている。高圧加熱管１１１の他端には、高圧被加熱媒体連絡管６２Ａの一端が接続されている。低圧加熱管２１１の他端には、低圧被加熱媒体連絡管６２Ｂの一端が接続されている。高圧被加熱媒体連絡管６２Ａ及び低圧被加熱媒体連絡管６２Ｂは、他端同士で合流して被加熱媒体連絡管６２となっている。被加熱媒体連絡管６２は、凝縮器加熱管４１の一端に接続されている。凝縮器加熱管４１の他端には、被加熱媒体導出管６３が接続されている。
【００３０】
吸収ヒートポンプ１は、また、冷水ｃを外部から導入する冷水導入管６４と、冷水連絡管６５と、冷水ｃを外部に導出する冷水導出管６６とを備えている。冷水導入管６４は、高圧冷水管１２１の一端に接続されている。高圧冷水管１２１の他端と低圧冷水管２２１の一端とは、冷水連絡管６５を介して接続されている。低圧冷水管２２１の他端には、冷水導出管６６が接続されている。
【００３１】
引き続き図１を参照して、吸収ヒートポンプ１の作用を説明する。吸収ヒートポンプ１の運転が開始されると、冷水ｃ及び被加熱媒体Ｗの流動が開始されると共に、再生器３０の加熱部３１における加熱が開始される。冷水ｃは、冷水導入管６４から吸収ヒートポンプ１に導入され、高圧冷水管１２１を流れた後に冷水連絡管６５に至り、その後、低圧冷水管２２１を流れ、冷水導出管６６を介して吸収ヒートポンプ１の外に導出される。
【００３２】
被加熱媒体Ｗは、典型的には被加熱媒体ポンプ（不図示）によって流動され、被加熱媒体導入管６１から吸収ヒートポンプ１に導入される。被加熱媒体Ｗは、被加熱媒体導入管６１を流れていくと、高圧被加熱媒体導入管６１Ａと低圧被加熱媒体導入管６１Ｂとに分流される。高圧被加熱媒体導入管６１Ａを流れる被加熱媒体Ｗは、高圧加熱管１１１を流れた後に高圧被加熱媒体連絡管６２Ａに至る。低圧被加熱媒体導入管６１Ｂを流れる被加熱媒体Ｗは、低圧加熱管２１１を流れた後に低圧被加熱媒体連絡管６２Ｂに至る。高圧被加熱媒体連絡管６２Ａを流れる被加熱媒体Ｗ及び低圧被加熱媒体連絡管６２Ｂを流れる被加熱媒体Ｗは、合流して被加熱媒体連絡管６２を流れる。被加熱媒体連絡管６２を流れる被加熱媒体Ｗは、凝縮器加熱管４１を流れた後、被加熱媒体導出管６３を介して吸収ヒートポンプ１の外に導出され、被加熱媒体Ｗの利用場所に供給される。このように、被加熱媒体Ｗは、高圧吸収器１１０及び低圧吸収器２１０に並列に供給された後に凝縮器４０に供給される。
【００３３】
吸収ヒートポンプ１内の冷媒Ｖのサイクルは、以下のように行われる。再生器冷媒蒸気流路３５を介して再生器３０から凝縮器４０に導入された再生器冷媒蒸気Ｖｇは、凝縮器加熱管４１を流れる被加熱媒体Ｗに冷却されて凝縮し、冷媒液Ｖｆとなって凝縮器缶胴４７の下部に貯留される。再生器冷媒蒸気Ｖｇを冷却した被加熱媒体Ｗは、温度が上昇して被加熱媒体導出管６３から導出される。凝縮器缶胴４７内の冷媒液Ｖｆは、凝縮冷媒液管５４を介して高圧蒸発器缶胴１２７内に導入される。凝縮器缶胴４７から高圧蒸発器缶胴１２７に導入された冷媒液Ｖｆは、高圧冷媒液散布ノズル１２２から散布されて蒸発しなかった冷媒液Ｖｆと混合し、連通冷媒液管５５を介して低圧蒸発器缶胴２２７内に導入される。低圧蒸発器缶胴２２７内の冷媒液Ｖｆは、冷媒液ポンプ５６ｐにより、被蒸発冷媒液管５６を流れ、高圧冷媒液管５８及び低圧冷媒液管５９に分流されて、高圧冷媒液散布ノズル１２２及び低圧冷媒液散布ノズル２２２に至る。
【００３４】
高圧冷媒液散布ノズル１２２に至った冷媒液Ｖｆは、高圧冷水管１２１に向けて散布され、高圧冷水管１２１を流れる冷水ｃの熱を得て一部が蒸発して高圧冷媒蒸気Ｖｅ１となり、高圧冷媒蒸気流路１２６を介して高圧吸収器缶胴１１７に導入される。高圧冷媒液散布ノズル１２２から散布されて蒸発しなかった冷媒液Ｖｆは、高圧蒸発器缶胴１２７の下部に貯留される。他方、低圧冷媒液散布ノズル２２２に至った冷媒液Ｖｆは、低圧冷水管２２１に向けて散布され、低圧冷水管２２１を流れる冷水ｃの熱を得て一部が蒸発して低圧冷媒蒸気Ｖｅ２となり、低圧冷媒蒸気流路２２６を介して低圧吸収器缶胴２１７に導入される。低圧冷水管２２１に導入される冷水ｃは、高圧冷水管１２１を流れる際に冷媒液Ｖｆ熱を与えて温度が低下しているため、高圧冷水管１２１に導入される冷水ｃよりも温度が低くなっている。このため、低圧蒸発器２２０は、高圧蒸発器１２０よりも、作動時の温度及び圧力が低くなっている。なお、低圧冷媒液散布ノズル２２２から散布されて蒸発しなかった冷媒液Ｖｆは、低圧蒸発器缶胴２２７の下部に貯留される。
【００３５】
次に吸収ヒートポンプ１内の溶液Ｓのサイクルを説明する。高圧吸収器缶胴１１７内の高圧希溶液Ｓｗ１は、高圧希溶液ポンプ５１ｐにより、高圧希溶液管５１を流れ、溶液熱交換器８１で温度が上昇した後に、再生器缶胴３７に導入される。再生器缶胴３７に導入された高圧希溶液Ｓｗ１は、加熱部３１によって加熱され、冷媒Ｖが離脱して濃溶液Ｓａとなる。他方、高圧希溶液Ｓｗ１から離脱した冷媒Ｖは、再生器冷媒蒸気Ｖｇとして、再生器冷媒蒸気流路３５を介して凝縮器缶胴４７内に送られる。
【００３６】
再生器缶胴３７内で生成された濃溶液Ｓａは、濃溶液管５３を流れ、溶液熱交換器８１において高圧希溶液Ｓｗ１と熱交換して温度が低下したうえで低圧溶液散布ノズル２１２に至る。低圧溶液散布ノズル２１２に至った濃溶液Ｓａは、低圧加熱管２１１に向けて散布され、低圧冷媒蒸気流路２２６から導入された低圧冷媒蒸気Ｖｅ２を吸収し濃度が低下して低圧希溶液Ｓｗ２となる。低圧吸収器缶胴２１７内において、濃溶液Ｓａが低圧冷媒蒸気Ｖｅ２を吸収する際には吸収熱が発生する。この吸収熱が、低圧加熱管２１１を流れる被加熱媒体Ｗに伝達され、被加熱媒体Ｗが加熱される。低圧吸収器缶胴２１７内で生じた低圧希溶液Ｓｗ２は、低圧吸収器缶胴２１７内に貯留される。
【００３７】
低圧吸収器缶胴２１７内の低圧希溶液Ｓｗ２は、低圧希溶液ポンプ５２ｐにより、低圧希溶液管５２を流れ、高圧溶液散布ノズル１１２に至る。高圧溶液散布ノズル１１２に至った低圧希溶液Ｓｗ２は、高圧加熱管１１１に向けて散布され、高圧冷媒蒸気流路１２６から導入された高圧冷媒蒸気Ｖｅ１を吸収し濃度が低下して高圧希溶液Ｓｗ１となる。高圧吸収器缶胴１１７内において、低圧希溶液Ｓｗ２が高圧冷媒蒸気Ｖｅ１を吸収する際には吸収熱が発生する。この吸収熱が、高圧加熱管１１１を流れる被加熱媒体Ｗに伝達され、被加熱媒体Ｗが加熱される。高圧吸収器缶胴１１７内で生じた高圧希溶液Ｓｗ１は、高圧吸収器缶胴１１７内に貯留される。
【００３８】
図２のデューリング線図をも参照して、吸収ヒートポンプ１の作用の説明を補足する。図２のデューリング線図は、縦軸に冷媒Ｖ（本実施の形態では水）の露点温度を、横軸に溶液Ｓ（本実施の形態ではＬｉＢｒ水溶液）の温度をとっている。右上がりの線は溶液Ｓの等濃度線を表し、右に行くほど高濃度、左に行くほど低濃度となり、図中の原点を通る右上がりの線は溶液濃度０％（すなわち冷媒のみ）の線である。なお、縦軸が示す露点温度は飽和圧力と対応関係にあるため、冷媒蒸気Ｖｅ１、Ｖｅ２、Ｖｇが飽和蒸気である本実施の形態のヒートポンプサイクルでは、縦軸は主要構成機器である高圧吸収器１１０、低圧吸収器２１０、高圧蒸発器１２０、低圧蒸発器２２０、再生器３０、凝縮器４０の内部圧力を表していると見ることもできる。
【００３９】
図２中、吸収ヒートポンプ１の定格運転における吸収液Ｓの状態は溶液線ＳＤで表され、定格運転における冷媒Ｖの状態は冷媒線ＶＤで表されている。図２中、溶液線ＳＤにおいて、露点温度Ｐ１は低圧吸収器２１０の状態を、露点温度Ｐ２は高圧吸収器１１０の状態を、露点温度Ｐ３は再生器３０の状態をそれぞれ表している。また、冷媒線ＶＤにおいて、露点温度Ｐ１は低圧蒸発器２２０の状態を、露点温度Ｐ２は高圧蒸発器１２０の状態を、露点温度Ｐ３は凝縮器４０の状態をそれぞれ表している。なお、冷媒Ｖの蒸気を移動させるために互いに連通している高圧吸収器１１０と高圧蒸発器１２０、低圧吸収器２１０と低圧蒸発器２２０、再生器３０と凝縮器４０の内部圧力は、厳密に言えば冷媒Ｖの蒸気の下流側となる方が冷媒Ｖの蒸気の流動による圧力損失分だけ低くなるが、ほぼ同じ圧力である。
【００４０】
図２において、溶液Ｓのサイクルは、溶液線ＳＤ上を時計回りに循環する。露点温度Ｐ３の状態にある再生器３０から導出された濃度Ｃｒ４の濃溶液Ｓａは、低圧吸収器２１０に導入される際に、濃度Ｃｒ４のまま露点温度Ｐ１まで低下する。低圧吸収器２１０に導入された濃溶液Ｓａは、低圧冷媒蒸気Ｖｅ２を吸収しつつ低圧加熱管２１１を流れる被加熱媒体Ｗによって溶液温度Ｔ１まで冷却されて、濃度Ｃｒ２の低圧希溶液Ｓｗ２となる。低圧吸収器２１０の低圧希溶液Ｓｗ２は、低圧希溶液ポンプ５２ｐによって露点温度Ｐ２まで上昇し、濃度Ｃｒ２のまま高圧吸収器１１０に導入される。高圧吸収器１１０に導入された低圧希溶液Ｓｗ２は、高圧冷媒蒸気Ｖｅ１を吸収しつつ高圧加熱管１１１を流れる被加熱媒体Ｗによって冷却される。このとき、吸収ヒートポンプ１では、被加熱媒体Ｗが高圧吸収器１１０と低圧吸収器２１０とに並列に供給されるので、両者に供給される被加熱媒体Ｗの温度は同じになる。したがって、高圧冷媒蒸気Ｖｅ１を吸収した低圧希溶液Ｓｗ２は、露点温度Ｐ２において溶液温度Ｔ１まで冷却され、これによって濃度Ｃｒ１の高圧希溶液Ｓｗ１となる。高圧吸収器１１０の高圧希溶液Ｓｗ１は、高圧希溶液ポンプ５１ｐによって露点温度Ｐ３まで上昇し、濃度Ｃｒ１のまま再生器３０に導入される。再生器３０に導入された高圧冷媒蒸気Ｖｅ１は、加熱部３１によって加熱されることで冷媒Ｖが離脱して濃縮され、濃度Ｃｒ４の濃溶液Ｓａとなる。吸収ヒートポンプ１は、上述のような溶液Ｓのサイクルが行われるので、高圧吸収器１１０と低圧吸収器２１０とで、負荷が概ね同じになる。
【００４１】
本実施の形態に係る吸収ヒートポンプ１との比較として、従来の吸収ヒートポンプ９１（図４参照）の溶液のサイクルについて、図２及び図４を参照しながら言及する。吸収ヒートポンプ９１は、被加熱媒体Ｗが、高圧吸収器１１０、低圧吸収器２１０、凝縮器４０の順で直列に供給されるものであり、被加熱媒体Ｗの温度はこれらを通過するごとに高くなる。したがって、吸収ヒートポンプ９１においては、被加熱媒体Ｗの温度が、高圧吸収器１１０に供給されるときよりも、低圧吸収器２１０に供給されるときの方が高くなる。これを、図２のデューリング線図上で見てみると、低圧吸収器２１０では、溶液温度Ｔ１よりも高い溶液温度Ｔ２までしか溶液Ｓが冷却されないため、低圧吸収器２１０で生成される溶液Ｓは濃度Ｃｒ３となる。吸収ヒートポンプ９１では、濃度Ｃｒ３の溶液Ｓが高圧吸収器１１０に導入され、濃度Ｃｒ１の溶液Ｓとなる（図２中、二点鎖線で示している）。図２を見ると、明らかに、高圧吸収器１１０の負荷が低圧吸収器２１０の負荷よりも大きくなっており、一般にその割合は７対３程度である。このように、従来の吸収ヒートポンプ９１では、高圧吸収器１１０に低圧吸収器２１０よりも大きな負荷がかかり、高圧吸収器１１０の負荷と低圧吸収器２１０の負荷とで不均衡（アンバランス）が生じていた。
【００４２】
以上で説明したように、本実施の形態に係る吸収ヒートポンプ１によれば、被加熱媒体Ｗが高圧吸収器１１０と低圧吸収器２１０とに並列に供給されるので、高圧吸収器１１０の負荷と低圧吸収器２１０の負荷とを概ね平準化することができる。また、被加熱媒体Ｗが高圧吸収器１１０と低圧吸収器２１０とに並列に供給されるので、高圧被加熱媒体連絡管６２Ａ及び低圧被加熱媒体連絡管６２Ｂ等にバルブ等の流量調節手段を設けることで、高圧吸収器１１０及び低圧吸収器２１０へ供給される被加熱媒体Ｗの分配比率を容易に変えることができる。また、高圧蒸発器缶胴１２７及び低圧蒸発器缶胴２２７が、高圧吸収器缶胴１１７及び低圧吸収器缶胴２１７よりも鉛直上方に配置されているので、高圧吸収器缶胴１１７内の液滴の高圧蒸発器缶胴１２７への飛散、及び低圧吸収器缶胴２１７内の液滴の低圧蒸発器缶胴２２７への飛散を回避することができ、高圧吸収器１１０及び低圧吸収器２１０には、それぞれ、エリミネータを設けなくて済む。
【００４３】
次に図３を参照して、本発明の実施の形態の変形例に係る吸収ヒートポンプ３を説明する。図３は、吸収ヒートポンプ３の概略構成図である。吸収ヒートポンプ３は、吸収ヒートポンプ１（図１参照）と比較して、以下の点が異なっている。まず、吸収ヒートポンプ３は、再生器が高圧再生器１３０と低圧再生器２３０とに分かれており、凝縮器が第１の凝縮器としての高圧凝縮器１４０と第２の凝縮器としての低圧凝縮器２４０とに分かれている。高圧再生器１３０及び低圧再生器２３０は、それぞれ、外見上の構成が再生器３０（図１参照）と同様になっている。再生器３０の加熱部３１及び再生器缶胴３７（図１参照）に対応する構成として、高圧再生器１３０は高圧加熱部１３１及び高圧再生器缶胴１３７を、低圧再生器２３０は低圧加熱部２３１及び低圧再生器缶胴２３７を、それぞれ有している。高圧凝縮器１４０及び低圧凝縮器２４０は、それぞれ、外見上の構成が凝縮器４０（図１参照）と同様になっている。凝縮器４０の凝縮器加熱管４１及び凝縮器缶胴４７（図１参照）に対応する構成として、高圧凝縮器１４０は高圧凝縮器加熱管１４１及び高圧凝縮器缶胴１４７を、低圧凝縮器２４０は低圧凝縮器加熱管２４１及び低圧凝縮器缶胴２４７を、それぞれ有している。
【００４４】
高圧再生器缶胴１３７と高圧凝縮器缶胴１４７とは、水平方向に隣接して配置され、高圧蒸発器缶胴１２７の鉛直上方に配設されている。高圧再生器缶胴１３７の上部と高圧凝縮器缶胴１４７の上部とは、高圧再生器冷媒蒸気Ｖｇ１を高圧再生器１３０から高圧凝縮器１４０へと導く高圧再生器冷媒蒸気流路１３５を介して連通している。他方、低圧再生器缶胴２３７と低圧凝縮器缶胴２４７とは、水平方向に隣接して配置され、低圧蒸発器缶胴２２７の鉛直上方に配設されている。低圧再生器缶胴２３７の上部と低圧凝縮器缶胴２４７の上部とは、低圧再生器冷媒蒸気Ｖｇ２を低圧再生器２３０から低圧凝縮器２４０へと導く低圧再生器冷媒蒸気流路２３５を介して連通している。なお、吸収ヒートポンプ３の高圧蒸発器１２０、低圧蒸発器２２０、高圧吸収器１１０、低圧吸収器２１０は、吸収ヒートポンプ１（図１参照）が備えているものと同じ構成である。
【００４５】
吸収ヒートポンプ３では、高圧吸収器缶胴１１７に接続された高圧希溶液管５１の他端が、高圧再生器缶胴１３７に接続されている。また、高圧溶液散布ノズル１１２には、低圧吸収器缶胴２１７の低圧希溶液Ｓｗ２ではなく、高圧再生器１３０で濃縮された高圧濃溶液Ｓａ１を高圧吸収器１１０に導く高圧濃溶液管１５３が接続されている。したがって、高圧溶液散布ノズル１１２から散布されるのは高圧濃溶液Ｓａ１となり、吸収ヒートポンプ３では高圧濃溶液Ｓａ１が第１の吸収液に相当する。高圧希溶液管５１には、吸収ヒートポンプ１における溶液熱交換器８１（図１参照）に代えて、高圧溶液熱交換器１８１が配設されている。高圧溶液熱交換器１８１は、高圧濃溶液管１５３が接続されており、高圧希溶液Ｓｗ１と高圧濃溶液Ｓａ１との間で熱交換を行わせるように構成されている。
【００４６】
また、吸収ヒートポンプ３では、低圧吸収器缶胴２１７に接続された低圧希溶液管５２の他端が、高圧溶液散布ノズル１１２ではなく、低圧再生器缶胴２３７の底部又は下部に接続されている。また、低圧溶液散布ノズル２１２には、低圧再生器２３０で濃縮された低圧濃溶液Ｓａ２を低圧吸収器２１０に導く低圧濃溶液管２５３が接続されている。したがって、低圧溶液散布ノズル２１２から散布されるのは低圧濃溶液Ｓａ２となり、吸収ヒートポンプ３では低圧濃溶液Ｓａ２が第２の吸収液に相当する。低圧希溶液管５２及び低圧濃溶液管２５３には、低圧希溶液Ｓｗ２と低圧濃溶液Ｓａ２との間で熱交換を行わせる低圧溶液熱交換器２８１が配設されている。
【００４７】
また、吸収ヒートポンプ３では、高圧蒸発器缶胴１２７に接続されている凝縮冷媒液管５４の他端が、高圧凝縮器缶胴１４７の底部又は下部に接続されている。低圧凝縮器缶胴２４７の底部又は下部と低圧蒸発器缶胴２２７とは、低圧凝縮冷媒液管２５４で接続されており、低圧凝縮器缶胴２４７内の冷媒液Ｖｆを位置ヘッドで低圧蒸発器缶胴２２７内に導くことができるように構成されている。低圧蒸発器缶胴２２７に接続された被蒸発冷媒液管５６の他端は、分岐せずに低圧冷媒液散布ノズル２２２に接続されている。したがって、低圧蒸発器缶胴２２７内の冷媒液Ｖｆは、低圧冷媒液散布ノズル２２２にのみ供給されることとなる。高圧蒸発器缶胴１２７の底部又は下部と高圧冷媒液散布ノズル１２２とは、高圧蒸発器缶胴１２７内の冷媒液Ｖｆを高圧冷媒液散布ノズル１２２に導く高圧被蒸発冷媒液管１５５で接続されている。高圧被蒸発冷媒液管１５５には、高圧冷媒液ポンプ１５５ｐが配設されている。したがって、高圧蒸発器缶胴１２７内の冷媒液Ｖｆは、高圧冷媒液散布ノズル１２２にのみ供給されることとなる。
【００４８】
また、吸収ヒートポンプ３では、高圧吸収器１１０の高圧加熱管１１１に接続された高圧被加熱媒体連絡管６２Ａと、低圧吸収器２１０の低圧加熱管２１１に接続された低圧被加熱媒体連絡管６２Ｂとの他端同士が合流していない。高圧被加熱媒体連絡管６２Ａの他端は、高圧凝縮器１４０の高圧凝縮器加熱管１４１の一端に接続されている。高圧凝縮器加熱管１４１の他端には、高圧被加熱媒体導出管６３Ａの一端が接続されている。低圧被加熱媒体連絡管６２Ｂの他端は、低圧凝縮器２４０の低圧凝縮器加熱管２４１の一端に接続されている。低圧凝縮器加熱管２４１の他端には、低圧被加熱媒体導出管６３Ｂの一端が接続されている。高圧被加熱媒体導出管６３Ａ及び低圧被加熱媒体導出管６３Ｂは、他端同士で合流して被加熱媒体導出管６３に接続されている。これまでに述べたもの以外の吸収ヒートポンプ３の構成は、吸収ヒートポンプ１（図１参照）と同じである。
【００４９】
上述のように構成された吸収ヒートポンプ３は、冷媒Ｖ及び溶液Ｓのサイクルが、高圧側と低圧側とでそれぞれ独立している。高圧側では、冷媒Ｖは、高圧再生器冷媒蒸気Ｖｇ１として高圧再生器１３０から高圧凝縮器１４０に流入し、高圧凝縮器１４０で凝縮して冷媒液Ｖｆとなって高圧蒸発器１２０に導かれ、高圧蒸発器１２０で蒸発して高圧冷媒蒸気Ｖｅ１となって高圧吸収器１１０に導かれ、溶液Ｓに吸収される。溶液Ｓは、高圧吸収器１１０で高圧冷媒蒸気Ｖｅ１を吸収して濃度が低下し、高圧希溶液Ｓｗ１として高圧再生器１３０に導かれ、高圧再生器１３０で濃縮されて高圧濃溶液Ｓａ１となって高圧吸収器１１０に導かれ、高圧冷媒蒸気Ｖｅ１を吸収する。
【００５０】
他方、低圧側では、冷媒Ｖは、低圧再生器冷媒蒸気Ｖｇ２として低圧再生器２３０から低圧凝縮器２４０に流入し、低圧凝縮器２４０で凝縮して冷媒液Ｖｆとなって低圧蒸発器２２０に導かれ、低圧蒸発器２２０で蒸発して低圧冷媒蒸気Ｖｅ２となって低圧吸収器２１０に導かれ、溶液Ｓに吸収される。溶液Ｓは、低圧吸収器２１０で低圧冷媒蒸気Ｖｅ２を吸収して濃度が低下し、低圧希溶液Ｓｗ２として低圧再生器２３０に導かれ、低圧再生器２３０で濃縮されて低圧濃溶液Ｓａ２となって低圧吸収器２１０に導かれ、低圧冷媒蒸気Ｖｅ２を吸収する。
【００５１】
上述した吸収ヒートポンプ３によれば、吸収ヒートポンプ１（図１参照）と同様に、被加熱媒体Ｗが高圧吸収器１１０と低圧吸収器２１０とに並列に供給されるので、高圧吸収器１１０の負荷と低圧吸収器２１０の負荷とを概ね平準化することができる。また、被加熱媒体Ｗが高圧吸収器１１０と低圧吸収器２１０とに並列に供給されるので、高圧被加熱媒体導出管６３Ａ及び低圧被加熱媒体導出管６３Ｂ等にバルブ等の流量調節手段を設けることで、高圧吸収器１１０及び低圧吸収器２１０へ供給される被加熱媒体Ｗの分配比率を容易に変えることができる。また、再生器１３０、２３０及び凝縮器１４０、２４０が、高圧側と低圧側とに分けて設けられているので、冷媒Ｖ及び溶液Ｓのサイクルを高圧側と低圧側とでそれぞれ独立させることができ、高圧吸収器１１０の内圧と低圧吸収器２１０の内圧との差を適切に維持することができる。また、吸収ヒートポンプ１（図１参照）と同様に、高圧蒸発器缶胴１２７及び低圧蒸発器缶胴２２７が、高圧吸収器缶胴１１７及び低圧吸収器缶胴２１７よりも鉛直上方に配置されているので、高圧吸収器缶胴１１７内の液滴の高圧蒸発器缶胴１２７への飛散、及び低圧吸収器缶胴２１７内の液滴の低圧蒸発器缶胴２２７への飛散を回避することができ、高圧吸収器１１０及び低圧吸収器２１０には、それぞれ、エリミネータを設けなくて済む。
【００５２】
以上の説明では、被冷却媒体が冷水ｃであるとしたが、冷水ｃに代えて熱源媒体としての熱源温水あるいは蒸気であってもよい。熱源温水としては、例えば、工場排温水、温泉水、井水、河川水、下水処理水等を用いることができる。
【符号の説明】
【００５３】
１      吸収ヒートポンプ
４０    凝縮器
１１０  高圧吸収器
１１１  高圧加熱管
１１７  高圧吸収器缶胴
１２０  高圧蒸発器
１２１  高圧冷水管
１２５  高圧エリミネータ
１２７  高圧蒸発器缶胴
１４０  高圧凝縮器
２１０  低圧吸収器
２１１  低圧加熱管
２１７  低圧吸収器缶胴
２２０  低圧蒸発器
２２１  低圧冷水管
２２５  低圧エリミネータ
２２７  低圧蒸発器缶胴
２４０  低圧凝縮器
ｃ      冷水
Ｓａ１  高圧濃溶液
Ｓａ２  低圧濃溶液
Ｓｗ１  高圧希溶液
Ｓｗ２  低圧希溶液
Ｖｅ１  高圧冷媒蒸気
Ｖｅ２  低圧冷媒蒸気
Ｖｆ    冷媒液
Ｖｇ    再生器冷媒蒸気
Ｖｇ１  高圧再生器冷媒蒸気
Ｖｇ２  低圧再生器冷媒蒸気
Ｗ      被加熱媒体
【図１】
2014190680.tif 000003
【図２】
2014190680.tif 000004
【図３】
2014190680.tif 000005
【図４】
2014190680.tif 000006